(57)【要約】【課題】エアゾール内容物の残留物排出動作に於いて、手指で押釦の天面を押圧しながら固定ピンを、手指に接触することなく押釦の復元方向側に配置固定し、エアゾール内容物の残留物排出動作をすることが可能となる。本発明に於いては固定ピンをワンタッチキャップに固定する場合に、手指との接触や手指を傷つけることなく、迅速で安全なエアゾール内容物の残留物排出動作を可能とする。【解決手段】ワンタッチキャップ１の両側壁４、５間に、ステム１１と接続した押釦１２を配置する。この押釦１２を側方に押圧傾斜することによってエアゾール容器３のバルブ機構を開弁し、エアゾール内容物の排出を可能とする。このような、エアゾール容器３に於いて、押圧傾斜状態の押釦１２の復元方向側に配置し、押釦の復元を阻止する固定ピン１６を挿通可能とする挿通口１７を両側壁４、５に開口形成している。【選択図】図１
2008001385.tif 000002
【特許請求の範囲】
【請求項１】
エアゾール容器の肩部に下端を固定したワンタッチキャップの両側壁間に、ステムと接続した押釦を配置し、この押釦をステムの非押圧時に於ける軸方向に対して側方に押圧傾斜することによってエアゾール容器のバルブ機構を開弁し、エアゾール内容物の排出を可能としたものに於いて、押圧傾斜状態の押釦の復元方向側に配置し、押釦の復元を阻止する固定ピンを挿通可能とする挿通口を両側壁に開口形成したことを特徴とするエアゾール容器の残留内容物排出装置。
【請求項２】
バルブ機構は、ステムを軸方向に押圧することにより開弁するプッシュダウンバルブであることを特徴とする請求項１のエアゾール容器の残留内容物排出装置。
【請求項３】
バルブ機構は、ステムを軸方向の側方に傾斜させることにより開弁するチルトバルブであることを特徴とする請求項１のエアゾール容器の残留内容物排出装置。
【請求項４】
押釦は、ノズル形成側の下端を折り曲げ可能なヒンジ部を介してワンタッチキャップに連結したことを特徴とする請求項１のエアゾール容器の残留内容物排出装置。
【請求項５】
押釦は、ノズル形成部とは反対側の下端を、折り曲げ可能なヒンジ部を介してワンタッチキャップに連結したことを特徴とする請求項１のエアゾール容器の残留内容物排出装置。
【発明の詳細な説明】
【技術分野】
【０００１】
本発明は、エアゾール製品を廃棄する際に、安全のため残留内容物を全量排出するための、エアゾール容器の残留内容排出装置に関するものである。
【背景技術】
【０００２】
従来、エアゾール容器内に充填されたエアゾール内容物の使用後にエアゾール製品を廃棄する場合、エアゾール容器内にエアゾール内容物を残留させたまま廃棄すると、噴射ガスの膨張による爆発事故を引き起こすなどの問題を生じるおそれがあった。そこで、特許文献１に示す如く、エアゾール容器内に残留したエアゾール内容物を全量排出するための残留内容物排出装置が、従来より提案されている。
【０００３】
特許文献１に記載の残留内容物排出装置は、内容物を排出する際にステムに接続している押釦の天面を手指で押し下げてバルブ機構を開弁し、エアゾール内容物の排出を行う。この押釦の天面の押し下げを行いながら、この押釦の天面に固定ピンを固定的に配置することにより押釦の噴射状態を継続し、残留内容物の排出をするものである。この固定ピンの固定は、エアゾール容器に固定したワンタッチキャップの両側壁に固定ピンを挿通することにより行っている。
【特許文献１】特開２００５−３２００１５号公報
【発明の開示】
【発明が解決しようとする課題】
【０００４】
しかしながら、特許文献１に記載の残留内容物排出装置は、押釦の天面を手指で押圧しながら、この押釦の天面に固定ピンを固定するものである。通常の押釦は小型であって、天面に手指を載置した場合は、押釦の天面の全てを覆ってしまう場合が多いものである。また、エアゾール内容物を噴射するための押釦の押圧は少なからず力を必要とし、押釦の天面を強い力で確実に押圧する必要がある。この押釦の天面の全てを強く手指で覆った状態で、押釦の天面にピンを配置して固定することは不可能ではないが著しく作業性を悪くするばかりでなく、場合によっては押釦の天面を押圧する手指を固定ピンで損傷したりする可能性も生じるものである。
【０００５】
そこで、本発明は上述の如き課題を解決しようとするものであって、押釦の天面を手指により強い力で確実に押圧しながら、固定ピンを使用して押釦を継続噴射状態に固定する場合に、押釦の天面を押圧している手指が、前記の継続噴射状態を固定する作業の妨げとなることが無く、しかも作業性の良い迅速な残留内容物の排出作業を可能とする。また、この排出作業を手指を傷つけることなく安全に行うことを可能にしようとするものである。
【課題を解決するための手段】
【０００６】
本発明は上述の如き課題を解決するため、エアゾール容器の肩部に下端を固定したワンタッチキャップの両側壁間に、ステムと接続した押釦を配置し、この押釦を、ステムの非押圧時に於ける軸方向に対して側方に押圧傾斜することによってエアゾール容器のバルブ機構を開弁し、エアゾール内容物の排出を可能としたエアゾール装置に於ける残留内容物の排出に用いるものである。従って、ステムの軸方向に垂直に押釦を押圧移動し、押釦を側方に押圧傾斜しないでエアゾール内容物の排出を可能とする方式のエアゾール装置には適用が困難なものである。
【０００７】
そして、ステムの非押圧時に於ける軸方向に対し側方に押釦を押圧傾斜することによってエアゾール容器のバルブ機構を開弁し、エアゾール内容物の排出を可能とするバルブ機構としては、ステムを軸方向に押圧することにより開弁するプッシュダウンバルブが存在する。このプッシュダウンバルブに通常の独立した押釦を接続した場合、押釦はステムの軸方向にのみ押圧移動するものとなるから、押釦をステムの非押圧時に於ける軸方向に対して側方に押圧傾斜することを必須の条件とする本願発明に於いては好ましくない。そこで、プッシュダウンバルブ方式のステムに接続する本発明の押釦は、押釦の下端を折り曲げ可能なヒンジ部を介してワンタッチキャップに連結することにより構成する。
【０００８】
このように構成することにより、押釦は押圧によってワンタッチキャップに連結したヒンジ部を支点として押し下げられるから、押釦は、ステムの非押圧時に於ける軸方向に対して側方に傾斜しながらステムを押圧するものとなる。そして、この押釦とワンタッチキャップのヒンジ部による連結は、ノズル形成部側に於いて行っても良いし、ノズル形成部と反対側で行っても良い。要するに押釦を傾斜移動させながらステムの押圧が可能なものであればよい。
【０００９】
また、バルブ機構に、ステムを軸方向の側方に傾斜させることにより開弁するチルトバルブを用いる場合は、ステムの傾斜がエアゾール内容物を排出する開弁動作となる為、押釦をワンタッチキャップに折り曲げ可能なヒンジ部を介して接続する必要はなくなる。
【００１０】
本発明は上述の如きエアゾール装置を前提として構成されるものであって、前述の噴射開弁動作に伴って、元位置から側方に移動した押釦を固定ピンによって固定する事により、残留エアゾール内容物の継続噴射による排出を行おうとするものである。この継続噴射による排出は、固定ピンを押圧傾斜状態の押釦の復元方向側に配置して位置を固定するものである。この固定は、固定ピンを挿通可能とする挿通口を両側壁の、押釦の復元を阻止する位置に開口形成することにより行うものである。そして、この押釦の復元を阻止する固定ピンは、傾斜移動した押釦の復元位置側に成ることが必要である。
【発明の効果】
【００１１】
本発明は上述の如く構成したものであって、ワンタッチキャップと押釦とを備え、通常噴射時には、押釦の天面を手指でステムの軸方向又はステムの傾斜方向に押圧することにより、エアゾール内容物を外部に噴射可能としている。この噴射は、押釦を非噴射状態の側方に傾斜移動することにより行われる。そして、残留内容物の排出時には、この押釦の傾斜移動状態で固定ピンをワンタッチキャップの側壁に設けた挿通口に挿通し、押圧傾斜状態の押釦の復元方向側に固定ピンを配置し押釦の復元を阻止することにより、押釦は元位置に復元することができなくなり、継続噴射によるエアゾール内容物の残留物排出を可能とする。
【００１２】
エアゾール内容物の残留物排出動作に於いては、上述如くエアゾール内容物の噴射動作に於ける手指の接触する押釦の天面と、固定ピンを配置する押釦の復元方向とは異なるものとなるから、手指で押釦の天面を押圧しエアゾール内容物の排出を行いながら手指に接触することなく、固定ピンを押圧傾斜状態の押釦の復元方向側に配置固定し、エアゾール内容物の残留物排出動作をすることが可能となる。このように、本発明に於いては固定ピンをワンタッチキャップに固定する場合に、手指との接触や手指を傷つけることの防止に特別の注意を払う必要がないから、迅速で安全なエアゾール内容物の残留物排出動作を可能とすることができるものである。
【実施例１】
【００１３】
以下、本発明の実施例１を図１〜３に於いて説明すれば、(１)はワンタッチキャップで、下端の環状部(２)をエアゾール容器(３)のマウテンカップ(６)、巻締め部(７)等の肩部(８)に固定すると共にこの環状部(２)の上部に両側壁(４)(５)を対向間隔(１０)を介して形成している。この対向間隔(１０)には、ステム(１１)と接続した押釦(１２)を配置している。このステム(１１)は、軸方向に押圧移動することによりバルブ機構(図示せず)を開弁するプッシュダウンバルブを構成するものである。
【００１４】
また、このステム(１１)に接続しエアゾール内容物の噴射を行う押釦(１２)は、ステム(１１)と連通するノズル(１３)を形成すると共に、ノズル(１３)を形成した側の下端を、図１に示す如く折り曲げ可能なヒンジ部(１４)を介してワンタッチキャップ(１)の環状部(２)に連結固定している。このように押釦(１２)を、ヒンジ部(１４)を介してワンタッチキャップ(１)の環状部(２)に連結固定することにより、押釦(１２)の天面(１５)を手指(９)によりバルブ機構(図示せず)の開弁方向に押圧すると、押釦(１２)は図１に示す如く、ヒンジ部(１４)を支点として移動する。そして、押釦(１２)をステム(１１)の非押圧時に於ける軸方向に対して側方に傾斜移動するものとなる。
【００１５】
また、押圧傾斜状態の押釦(１２)の復元方向側に配置し、押釦(１２)の復元を阻止する固定ピン(１６)を形成し、この固定ピン(１６)を挿通可能とする挿通口(１７)を両側壁(４)(５)に開口形成している。固定ピン(１６)は挿通口(１７)に挿通し傾斜状態の押釦(１２)の復元を阻止し得る強度があるものであれば、形状、材質等は特に限定されるものではなく、例えば爪楊枝、太めの針金、料理用の竹串、金串等、身近なものを用いることが出来る。また、挿通口(１７)はこのような適宜の固定ピン(１６)を挿通し得るものであれば、穴状に形成しても良いし、両側壁(４)(５)の上端から溝状に形成したものであっても良い。
【００１６】
上述の如き通常のエアゾール内容物の噴射使用が完了し、エアゾール容器(３)の廃棄を行う場合は、このエアゾール容器(３)内の残留内容物を安全のために排出する必要が生じる。この残留内容物の排出は、図１に示す如く手指(９)を天面(１５)に載置して押釦(１２)をバルブ機構(図示せず)の開弁方向に押圧し、この押釦(１２)を図１に示す如く、ヒンジ部(１４)を支点として非押圧状態の側方に傾斜移動させる。次に、この押釦(１２)の傾斜移動によって生じた空間に、両側壁(４)(５)の挿通口(１７)を介して固定ピン(１６)を配置固定する。押釦(１２)はこの固定ピン(１６)によって図１、図２に示す如く元位置への復元を阻止され、バルブ機構の開放状態を維持するから残留内容物の排出を確実に行うことが可能となる。
【実施例２】
【００１７】
上記の実施例ではヒンジ部(１４)を押釦(１２)のノズル(１３)形成側と環状壁()との間に形成している。しかし、押釦(１２)を傾斜移動させながらステム(１１)の押圧が可能なものであれば、ヒンジ部(１４)を押釦(１２)のノズル(１３)形成側に限定する必要はない。第２実施例では、図４に示す如く押釦(１２)は、ノズル(１３)の形成部とは反対側の下端を、折り曲げ可能なヒンジ部(１４)を介してワンタッチキャップ(１)の環状部(２)に連結している。前記の実施例１では押釦(１２)の傾斜移動によってノズル(１３)が上方を向く為、空間散布型の殺虫剤、芳香剤、消臭剤等に於いて特に好適なものである。また、実施例２では押釦(１２)の傾斜移動によってノズル(１３)が下方を向く為、塗布型のゴキブリ用殺虫剤、制汗剤等に使用する場合好適なものである。
【実施例３】
【００１８】
上記の実施例１、２では、バルブ機構を構成するステム(１１)に、軸方向に押圧移動することによりバルブ機構を開弁するプッシュダウンバルブを用いているが、このステム(１１)の構成は特に限定されるものではなく、押釦(１２)が、ステム(１１)の非押圧時に於ける軸方向に対して側方に押圧傾斜することによって、エアゾール容器(３)のバルブ機構を開弁する構成であれば本発明の目的は達成されるものである。実施例３に於いては、バルブ機構に、図５に示す如く、ステム(１１)を軸方向の側方に傾斜させることにより開弁するチルトバルブを用いるものである。この実施例３では、ステム(１１)の傾斜がエアゾール内容物を排出する開弁動作となる為、実施例１の如く、押釦(１２)をワンタッチキャップ(１)に折り曲げ可能なヒンジ部(１４)を介して接続する必要はなくなる。実施例２でチルトバルブを用いる場合は、通常の独立した押釦(１２)を接続するが、チルトバルブはステム(１１)を軸方向の側方に傾斜させることでエアゾール内容物の噴射が行われるから、押釦(１２)も噴射時には必然的に非噴射状態の側方に傾斜移動して位置を移動する。この移動状態で実施例１と同様の操作により固定ピン(１６)を両側壁(４)(５)に挿通固定すれば、押釦(１２)は元位置への復元を阻止され、残留内容物の噴射を継続することが出来る。
【００１９】
また、本発明のエアゾール容器(３)の残留内容物排出装置は、頭髪用品、化粧品、消臭・制汗剤、その他の人体用品、殺虫剤、コーティング剤、クリーナー、その他の家庭用品、工業用品、自動車用品、食品等のエアゾール製品に用いることができる。そして、頭髪用品として、ヘアースプレー、ヘアートリートメント、ヘアースタイリングフォーム、ヘアーシャンプー・リンス、酸性染毛剤、酸化型２剤タイプ永久染毛剤、カラースプレー・脱色剤、パーマ剤、育毛剤、ヘアートニック、寝癖直しスプレー、髪用フレグランス等に用いることができる。
【００２０】
また、化粧品として、シェービングフォーム、アフターシェーブローション、香水・オーデコロン、洗顔料、日焼け止め、ファンデーション、脱毛・脱色剤、浴用剤等に用いることができる。
【００２１】
また、消臭・制汗剤としては、制汗剤、消臭剤、ボディシャンプー等に用いることができる。また、その他の人体用品としては、筋肉消炎剤、皮膚疾患予防剤、皮膚疾患治療剤、水虫薬、害虫忌避剤、清拭剤、口腔清涼剤、口腔歯磨き剤、傷薬、やけど治療剤等に用いることができる。
【００２２】
また、殺虫剤としては、空間殺虫剤、ゴキブリ殺虫剤、園芸用殺虫剤、殺ダニ剤、不快害虫剤等に用いることができる。また、コーティング剤としては、家庭用塗料、自動車用塗料、アンダーコーティング等に用いることができる。
【００２３】
また、クリーナーとしては、ガラスクリーナー、硬質表面洗浄剤、浴用クリーナー、床・家具艶出しクリーナー、靴・皮革クリーナー、ワックス艶出し剤等に用いることができる。また、その他の家庭用品としては、室内消臭剤、トイレ用消臭剤、防水剤、洗濯糊、除草剤、衣類用防虫剤、防炎剤、除菌剤等に用いることができる。
【００２４】
また、工業用としては、潤滑防錆剤、接着剤、金属探傷剤、離型剤、コーキング剤等に用いることができる。また、自動車用としては、防曇剤、解氷剤、エンジンクリーナー等に用いることができる。その他、動物用品、趣味娯楽用品、食品、例えば、コーヒー、ジュース、クリーム、チーズ等に用いることができる。
【図面の簡単な説明】
【００２５】
【図１】本発明の実施例１を示す残留内容物排出状態の断面図。
【図２】図１の正面図。
【図３】実施例１の非噴射状態を示す断面図。
【図４】本発明の実施例２を示す残留内容物排出状態の断面図。
【図５】本発明の実施例３を示す残留内容物排出状態の断面図。
【図６】図５の正面図。
【図７】実施例３の非噴射状態を示す断面図。
【符号の説明】
【００２６】
１  ワンタッチキャップ
３  エアゾール容器
４  両側壁
５  両側壁
８  肩部
１１  ステム
１２  押釦
１３  ノズル
１４  ヒンジ部
１６  固定ピン
１７  挿通口
【図１】
2008001385.tif 000003
【図２】
2008001385.tif 000004
【図３】
2008001385.tif 000005
【図４】
2008001385.tif 000006
【図５】
2008001385.tif 000007
【図６】
2008001385.tif 000008
【図７】
2008001385.tif 000009